(57)【要約】      （修正有）【課題】吸収式冷凍機の内部において、さらに高い防触性能を図る技術を提供する。【解決手段】吸収式冷凍機用の吸収液であって、リチウムブロマイドを含有するとともに、アスコルビン酸塩を含有する。また、前記アスコルビン酸塩の含有量としては、２５０ｐｐｍ以上１％以下とすることが好ましい。また、本発明の吸収式冷凍機の特徴構成は、吸収液がリチウムブロマイド（ＬｉＢｒ）を含有するとともに、前記吸収液がアスコルビン酸塩を含有する点にある。なお、前記吸収式冷凍機が、吸収液の循環系に銅材部を有してもよい。【選択図】図１
2014181862.tif 000002
【特許請求の範囲】
【請求項１】
吸収式冷凍機用の吸収液であって、リチウムブロマイド（ＬｉＢｒ）を含有するとともに、アスコルビン酸塩を含有する吸収式冷凍機用の吸収液。
【請求項２】
前記アスコルビン酸塩を、２５０ｐｐｍ以上１％以下含有する請求項１に記載の吸収式冷凍機用の吸収液。
【請求項３】
吸収液がリチウムブロマイド（ＬｉＢｒ）を含有する吸収式冷凍機であって、前記吸収液がアスコルビン酸塩を含有する吸収式冷凍機。
【請求項４】
前記吸収式冷凍機が、吸収液の循環系に銅材部を有する請求項３に記載の吸収式冷凍機。
【請求項５】
吸収液がリチウムブロマイド（ＬｉＢｒ）を含有する吸収式冷凍機の運転方法であって、前記吸収液の循環系に於ける減圧状態が破れ、酸素が前記循環系に混入した場合に、前記吸収液にアスコルビン酸塩を投入する吸収式冷凍機の運転方法。
【発明の詳細な説明】
【技術分野】
【０００１】
本発明は、吸収式冷暖房機等として使用される吸収式冷凍機技術に関するものであり、吸収液としてリチウムブロマイド（ＬｉＢｒ）水溶液を使用する吸収式冷凍機における吸収式冷凍機用の吸収液、吸収式冷凍機および吸収式冷凍機の運転方法に関する。
【背景技術】
【０００２】
リチウムブロマイド（ＬｉＢｒ）水溶液を吸収液とし、たとえば、アノード型インヒビターを吸収液に含有して運転される吸収式冷凍機がある。リチウムブロマイド（ＬｉＢｒ）水溶液を吸収液として、運転される吸収式冷凍機では、その循環系内の機器に接続部等から空気が系内に侵入する場合がある。この空気に含まれる酸素は、吸収液内に溶け込み酸化剤として働く。このような新たに侵入した酸素により、局部腐食等が進行しやすい状況となる。このような吸収式冷凍機の運転・維持管理にあたっては、局部腐食が過度に進行し、吸収液の循環系統内に酸素を含む空気が混入するような状態に達すると、直に運転を停止し、専任のサービス員を呼んでメンテナンスが行われる。この場合、酸素は、吸収液内に溶解し酸化剤として働き腐食の要因となる。なお、従来のＬｉＢｒ水溶液で用いる鉄用のインヒビターは、アノード反応抑制型（酸化剤タイプ）であるため、空気混入時には、鉄材に孔食、隙間腐食等の局部腐食を起こしやすい。
【０００３】
そこで特許文献１には、このような吸収液に、中心原子が硫黄である還元性を有するオキソ酸塩を含有させることにより、吸収液に含まれる酸素を還元除去し、系内を防触することが有効であることが示されている。
【先行技術文献】
【特許文献】
【０００４】
【特許文献１】特許第３５４７２６５号
【発明の概要】
【発明が解決しようとする課題】
【０００５】
しかし、上述の吸収液に中心原子が硫黄である還元性を有するオキソ酸塩を含有させると、鉄材に対する防触効果はある程度得られるものの、前記鉄材よりも耐腐食性が高いと考えられており、薄肉に設けられる銅材からなる銅材部が存在するような場合、前記オキソ酸による銅材に対する防触効果が十分とは言えない事象が発生する場合があることを本発明者らは見出した。また、このような事情により、吸収式冷凍機の耐久性が低下する場合があり、保守点検にも労力を要する場合があった。
【０００６】
そこで、本発明の目的は、吸収式冷凍機の内部において、さらに高い防触性能を図る技術を提供することにある。
【課題を解決するための手段】
【０００７】
〔構成１〕
上記目的を達成するための本発明の吸収式冷凍機用の吸収液の特徴構成は、吸収式冷凍機用の吸収液であって、リチウムブロマイド（ＬｉＢｒ）を含有するとともに、アスコルビン酸塩を含有する点にある。
【０００８】
〔作用効果１〕
上記構成によると、前記吸収液は、アスコルビン酸塩により、中心原子が硫黄である還元性を有するオキソ酸塩よりも高い還元能力に基づく強い防触効果を発揮できることがわかった。また、このアスコルビン酸塩によると、吸収液の吸収性能に大きな影響を与えることもないので、吸収式冷凍機用として好適に用いることができるようになった。
【０００９】
〔構成２〕
また、前記アスコルビン酸塩の含有量としては、２５０ｐｐｍ以上１％以下とすることが好ましい。
【００１０】
〔作用効果２〕
アスコルビン酸塩の含有量は、少なすぎると効果が少なく、長期使用に耐えないという事情から、２５０ｐｐｍ以上とすることが望ましく、含有量が多すぎても、添加量の増加に伴う防触効果の向上が乏しくなり（効果が飽和し）、また、吸収液の物性に影響が生じる懸念もあることから、1％以下とすることが望ましい。なお、さらに望ましくは５００ｐｐｍ以上１％以下である。
【００１１】
〔構成３〕
また、本発明の吸収式冷凍機の特徴構成は、吸収液がリチウムブロマイド（ＬｉＢｒ）を含有するとともに、前記吸収液がアスコルビン酸塩を含有する点にある。
【００１２】
〔作用効果３〕
吸収液がリチウムブロマイド（ＬｉＢｒ）を含有すると、吸収液の性能は極めて高いのに対して、吸収液の循環する循環路における腐食性の面で、長期耐久性に改善の余地があったが、前記吸収液にアスコルビン酸塩を含有することによって、アスコルビン酸塩の高い防触性能に基づき、前記循環路における腐食の発生が抑制されるとともに、長期耐久性が改善されるにいたった。
【００１３】
〔構成４〕
なお、前記吸収式冷凍機が、吸収液の循環系に銅材部を有してもよい。
【００１４】
〔作用効果４〕
吸収式冷凍機を構成する部材には、高い伝熱性の要求される部分で銅製の部材が利用され、特に伝熱性を高めるために薄肉に形成された銅管などが、熱交換器を構成する銅部材として用いられている。前記吸収液がアスコルビン酸塩を含有することで吸収液が高い防触性を備えたので、吸収式冷凍機に伝熱性の高い薄肉の銅部材を用いたとしても、優れた長期耐久性を発揮することとなるので好ましい。
【００１５】
〔構成５〕
また、本発明の吸収式冷凍機の運転方法の特徴構成は、吸収液がリチウムブロマイド（ＬｉＢｒ）を含有する吸収式冷凍機の運転方法であって、前記吸収液の循環系に於ける減圧状態が破れ、酸素が前記循環系に混入した場合に、前記吸収液にアスコルビン酸塩を投入する点にある。
【００１６】
〔作用効果５〕
吸収液の循環系における減圧状態が破れたことを察知することができれば、その循環系に酸素が混入した状況を知ることができる。酸素が混入してしまうと、その循環系内の構成部材が腐食傾向に進むが、前記吸収液にアスコルビン酸塩を投入することによって、混入してしまった酸素を還元除去することによって、系内が腐食傾向に進むのを効果的に抑制することができ、吸収式冷凍機の運転状況を良好に維持することができるようになる。
【発明の効果】
【００１７】
したがって、吸収式冷凍機の内部における防触性を高めることができ、吸収式冷凍機をより耐久性高く用いることができるようになった。
【図面の簡単な説明】
【００１８】
【図１】吸収式冷凍機の一構成例を示す図
【図２】アスコルビン酸に防触効果の実証試験結果を示すグラフ
【発明を実施するための形態】
【００１９】
以下に、本発明の吸収式冷凍機を説明し、併せて、吸収式冷凍機用の吸収液、および、吸収式冷凍機の運転方法を説明する。なお、以下に好適な実施形態を記すが、これら実施形態はそれぞれ、本発明をより具体的に例示するために記載されたものであって、本発明の趣旨を逸脱しない範囲において種々変更が可能であり、本発明は、以下の記載に限定されるものではない。
【００２０】
〔吸収式冷凍機〕
図１に、対応する吸収式冷凍機１の一例を示す。
この吸収式冷凍機１は、所謂、二重効用式の吸収式冷凍機であり、凝縮器２、低温再生器３、高温再生器４、吸収器５、蒸発器６等を、所定の経路７で接続して構成されている。さらに、上記の主要な機器の他に、熱交換器８、溶液ポンプ９、冷媒ポンプ１０等が備えられて構成されている。
【００２１】
さて、このような吸収式冷凍機１にあっては、減圧状態に維持される吸収液循環系統１１が備えられ、この吸収液循環系統１１内を、吸収液として、アノード型インヒビターを含有したリチウムブロマイド（ＬｉＢｒ）水溶液が吸収液として循環する構成とされている。そして、本願においては、前記吸収液にアスコルビン酸ナトリウムを含有させておく。これにより、前記吸収液による防触効果が発揮され、吸収液の循環系における腐食が抑制される。
【００２２】
ここで、アノード型インヒビターは、本発明の要部を構成するものではないが、吸収式冷凍機１の一部構成機器を成す鉄材（ステンレス鋼を除く）に対して酸化剤的に働く添加剤であり、鉄材を不動態化させて水素の発生を抑えることができると考えられるものである。具体的には、マンガン酸組成物（たとえばＬｉＯＨ＋Ｌｉ2ＭｏＯ4＋ＬｉＮＯ3のような組成物）が好適に用いられている。
【００２３】
〔吸収式冷凍機の運転方法〕
また、本願の吸収式冷凍機の運転方法を行う場合には、上記構成に追加して、図１に破線で記載の以下の構成を備えることができる。つまり、減圧状態に維持される吸収液循環系統１１が備えられ、この吸収液循環系統１１内を、吸収液として、アノード型インヒビターおよびアスコルビン酸ナトリウムを含有したリチウムブロマイド（ＬｉＢｒ）水溶液が吸収液として循環する構成とされている。そして、前記吸収式冷凍機１に、先に説明した吸収液循環系統１１の減圧状態を監視する監視機構１２を備える。これは、機器が正常な運転状態にあるか、循環系内の接続部等からこの系統内に外気の空気が混入したかどうかを、系の減圧状態の変化から検出するものである。さらに、この監視機構１２により、減圧状態が破られた状態が検出された場合に、吸収液循環系統内に、アスコルビン酸ナトリウムを投入する投入機構１３を備える。即ち、吸収式冷凍機１にとって、過酷な条件となっている高温再生器４や低温再生器３や、他の投入に適した部位に、上記アスコルビン酸ナトリウムを投入することにより、混入した空気中の酸素を、投入されたアスコルビン酸に消費させることによって、腐食の進行を抑制できるようになっている。投入されるアスコルビン酸ナトリウムは、好適には水溶液として供給される。
【００２４】
したがって、本願の吸収式冷凍機１にあっては、所定の状態に維持されながら運転されてきた吸収式冷凍機１において、接続部等から空気が混入した場合に、この状態が検出され、系の溶液内に前記アスコルビン酸ナトリウムが投入される。このようにすると、系内への酸素の混入にも係わらず、孔食等の発生を抑えることができる。
【００２５】
以上が、本願の吸収式冷凍機の運転方法を採用する構成の吸収式冷凍機１の構成であるが、このようなメンテナンスの有効性に関するデータについて説明する。
【００２６】
〔アスコルビン酸に防触効果の実証試験〕
上記吸収液をフラスコに封入した試験装置を作成し、銅片を１か月間浸漬して放置し、その銅片の腐食速度を調べたところ図２に示すようになった。図中、「添加剤」として、「なし」と記載のものは、アノード型インヒビターを含有したリチウムブロマイド（ＬｉＢｒ）水溶液をそのまま吸収液としたものであり、「添加剤」として「亜硫酸水素Ｎａ」、「アスコルビン酸Ｎａ」とあるのは、それぞれ、「亜硫酸水素Ｎａ」、「アスコルビン酸Ｎａ」を、前記吸収液に添加してあることを示し、その添加量を「添加量」として示すものである。「雰囲気」として、Ａｒ脱気とあるのは、フラスコ内を脱気してＡｒ置換した状態を意味し、Ａｒ＋０．５％Ｏ2とあるものは、フラスコ内を脱気して、０．５％Ｏ2含有Ａｒガスで置換した状態を意味する。
【００２７】
図より、アスコルビン酸ナトリウムを用いた場合には、中心原子が硫黄である還元性を有するオキソ酸塩を用いた場合に比べて高い防触性能を示していることがわかる。また、アスコルビン酸塩が、吸収液に２５０ｐｐｍ以上添加されている場合に高い防触性能が発揮されていることが別途実験より明らかになっており、アスコルビン酸塩を吸収液に２５０ｐｐｍ以上添加しておくことで、吸収式冷凍機内部の銅管部における腐食を有効に抑制することができることが分かった。なお、防触性能に関して添加量に上限はないが、効果の持続性、吸収液の吸収性能に対する影響、コスト面等の実用性の面から１％以下程度とすることが好ましい。さらに好ましくは５００ｐｐｍ以上１％以下程度である。
【００２８】
〔別実施形態〕
上記実施形態では、アスコルビン酸塩としてアスコルビン酸ナトリウムを用いたが、カリウム塩、カルシウム塩等の他の塩でもよく上記構成に限られるものではない。
また、インヒビターとして、マンガン酸組成物に代表されるアノード型インヒビターを用いたが、これに限るものではない。また、銅の腐食防止を主な目的としたが、ほかの金属に対する防触効果も明らかなので、吸収式冷凍機一般に適用できることが明らかである。
さらに、従来の中心原子が硫黄である還元性を有するオキソ酸塩として、例えば、亜硫酸ナトリウムなどの亜硫酸塩又は亜硫酸水素塩等を追加で含有することを妨げるものではない。
【産業上の利用可能性】
【００２９】
本発明によると、吸収式冷凍機の内部における防触性を高めることができ、吸収式冷凍機をより耐久性高く用いることができるようになった。
【符号の説明】
【００３０】
１        ：吸収式冷凍機
２        ：凝縮器
３        ：低温再生器
４        ：高温再生器
５        ：吸収器
６        ：蒸発器
７        ：経路
８        ：熱交換器
９        ：溶液ポンプ
１０      ：冷媒ポンプ
１１      ：吸収液循環系統
１２      ：監視機構
１３      ：投入機構
【図１】
2014181862.tif 000003
【図２】
2014181862.tif 000004